(57)【特許請求の範囲】
【請求項１】
キャビネット本体の開口部を閉鎖するドアにおける手先框の上、下部及び／又は上、下框の手先框近傍のそれぞれに、ドアにおける框の内側に装着される支持金具と、
前記支持金具に框の長手方向と平行な軸を介して基端部が枢支されると共に、軸に捲装したトーションスプリングを介して基端部が支持金具のストッパ部に当接するように回動付勢される一方、基端部がストッパ部に当接した状態で先端部がキャビネット本体の開口縁側へ突出されると共に、ドアの開閉に伴って先端部がキャビネット本体の開口縁に内側から当接してトーションコイルスプリングの付勢力に抗して回動され、かつ、ドア閉鎖の状態で先端部がキャビネット本体の開口縁の内側に押圧されるラッチ本体と
からなる補助ラッチを装着したことを特徴とする電気装置用キャビネット。
【発明の詳細な説明】
【０００１】
【発明の属する技術分野】
本発明は、ＬＡＮやＷＡＮ等のデータ通信ネットワークに使用される電子・電気機器、その他の電子・電気機器を収容する電気装置用キャビネットに関する。
【０００２】
【従来の技術】
従来、電気装置用キャビネットは、電子・電気機器を収容する金属製の箱形のキャビネット本体の前面に、そのほぼ全面に及ぶ開口部を設け、かつ、この開口部を、その一側を吊元とする金属製のドアによって閉鎖可能に設けられている。
【０００３】
【発明が解決しようとする課題】
しかし、従来の電気装置用キャビネットは、ドアの閉鎖時に、手先框側ではそのほぼ中間においてラッチや空締めボルト、本締めボルト等を介してドアとキャビネット本体とが連結されているだけであるので、ドアのがたつきを生じる不具合がある。
かかるドアのがたつきは、キャビネット本体の大型化に伴ってドアが大きくなる程顕著となる。
【０００４】
そこで、本発明は、ドアのがたつきを防止し得る電気装置用キャビネットを提供することを目的とする。
【０００５】
【課題を解決するための手段】
前記課題を解決するため、本発明の電気装置用キャビネットは、
キャビネット本体の開口部を閉鎖するドアにおける手先框の上、下部及び／又は上、下框の手先框近傍のそれぞれに、ドアにおける框の内側に装着される支持金具と、
前記支持金具に框の長手方向と平行な軸を介して基端部が枢支されると共に、軸に捲装したトーションスプリングを介して基端部が支持金具のストッパ部に当接するように回動付勢される一方、基端部がストッパ部に当接した状態で先端部がキャビネット本体の開口縁側へ突出されると共に、ドアの開閉に伴って先端部がキャビネット本体の開口縁に内側から当接してトーションコイルスプリングの付勢力に抗して回動され、かつ、ドア閉鎖の状態で先端部がキャビネット本体の開口縁の内側に押圧されるラッチ本体と
からなる補助ラッチを装着したことを特徴とする。
【０００６】
上記電気装置用キャビネットにおいては、ドアの閉鎖時に、ドアの手先框の上、下部及び／又は上、下框の手先框近傍とキャビネット本体とが、それぞれ補助ラッチを介して連結される。
又、各補助ラッチのラッチ本体の回動が、ドアの開閉に伴ってなされる。
【０００７】
ラッチ本体は、アセタール樹脂（ＰＯＭ）等の合成樹脂からなるものが望ましく、又、その先端部は、正三角形の各辺を外方へ凸の円弧状をなす俵状に設けるのが望ましい。
【０００８】
【発明の実施の形態】
以下、本発明の実施の形態について図面を参照して説明する。
図１は本発明に係る電気装置用キャビネットの実施の形態の一例を示す正面図である。
図中１は電子・電気機器（図示せず）を収容する金属製の縦長箱形のキャビネット本体で、このキャビネット本体１の前面には、そのほぼ全面に及ぶ開口部２が設けられている。キャビネット本体１の開口部２は、その一側（図１においては右側部）を吊元とする金属製のドア３によって閉鎖可能に設けられている。
ドア３の吊元には、キャビネット本体１との間に跨がって丁番や軸吊金物等（図示せず）が取り付けられており、又、その手先（図１においては左側部）には、引手４が取り付けられていると共に、この引手４が取り付けられている手先框のほぼ中間に、ドア３の閉鎖時に、ドア３とキャビネット本体１と連結するためのラッチ本体や空締めボルト、本締めボルト等の留め金具（図示せず）が取り付けられている。
【０００９】
そして、ドア３における手先框の上部と下部及び上框（図１においては上側部）と下框（図１においては下側部）の手先框近傍には、補助ラッチ５がそれぞれ装着されている。
補助ラッチ５は、図２〜図４に示すように、ドア３における框の内側に装着される支持金具６と、支持金具６に框の長手方向（図２においては紙面と垂直な方向）と平行な軸７を介して基端部８ａが枢支されると共に、軸７に捲装したトーションコイルスプリング９を介して基端部８ａが支持金具６のストッパ部６ａに当接するように回動付勢される一方、基端部８ａがストッパ部６ａに当接した状態で先端部８ｂがキャビネット本体１の開口縁１ａ側へ突出されると共に、ドア３の開閉に伴って先端部８ｂがキャビネット本体１の開口縁１ａに当接してトーションコイルスプリング９の付勢力に抗して回動され、かつ、ドア３の閉鎖の状態で先端部８ｂがキャビネット本体の開口縁１ａの内側に押圧される（図２に示す状態）ラッチ本体８とから構成されている。
置用キャビネット。
ラッチ本体８は、アセタール樹脂等の合成樹脂によって形成されており、その先端部８ｂは、正三角形の各辺を外方へ凸の円弧状をなす俵状に設け、かつ、その一つの角部を、ドア３の開閉時に開口縁１ａと当接する位置にあるように設けている。
【００１０】
上記構成の電気装置用キャビネットにおいては、ドア３の閉鎖時に、引手４の近傍の留め金具によるドア３とキャビネット本体１との連結の他、ドア３の手先框の上部と下部及び上框と下框の手先框近傍とキャビネット本体１とが、それぞれ補助ラッチ５を介して連結されるので、ドア３のがたつきを防止することができる。
又、各補助ラッチ５のラッチ本体８の回動が、ドア３の開閉に伴ってなされるので、ドア３の開閉を容易に行うことができる。
【００１１】
なお、上述した実施の形態においては、補助ラッチ５をドア３の手先框の上部と下部及び上框と下框の手先框近傍に装着する場合について説明したが、これに限定されるものではなく、ドアの手先框の上部と下部、または上框と下框の手先框近傍のいずれかに補助ラッチ５を装着するようにしてもよい。
【００１２】
以上説明したように、本発明の電気装置用キャビネットによれば、ドアの閉鎖時に、引手近傍の留め金具によるドアとキャビネット本体の連結の他、ドアの手先框の上、下部及び／又は上、下框の手先框近傍とキャビネット本体とが、それぞれ補助ラッチを介して連結されるので、ドアのがたつきを防止することができる。
又、各補助ラッチのラッチ本体の回動が、ドアの開閉に伴ってなされるので、ドアの開閉を容易に行うことができる。
【図面の簡単な説明】
【図１】  本発明に係る電気装置用キャビネットの実施の形態の一例を示す正面図である。
【図２】  図１におけるII−II線矢視図である。
【図３】  図２におけるIII−III線矢視図である。
【図４】  図２におけるIV−IV線矢視図である。
【符号の説明】
１  キャビネット本体
１ａ  開口縁
２  開口部
３  ドア
５  補助ラッチ
６  支持金具
６ａ  ストッパ部
７  軸
８  ラッチ本体
８ａ  基端部
８ｂ  先端部
９  トーションコイルスプリング
【図１】
0003712603.tif 000002
【図２】
0003712603.tif 000003
【図３】
0003712603.tif 000004
【図４】
0003712603.tif 000005